【手続補正書】
【提出日】平成18年12月4日(2006.12.4)
【手続補正１】
【補正対象書類名】特許請求の範囲
【補正対象項目名】全文
【補正方法】変更
【補正の内容】
【特許請求の範囲】
【請求項１】
画像記録を行う記録素子を第１の方向に複数配列したチップを前記第１の方向に複数配列してなるプリントヘッドであって、隣り合う前記チップ同士が予め定められた数の記録素子分だけ重なり合う重なり部を有するように配列されたプリントヘッドを有し、
被記録材を前記第１の方向と交差する第２の方向に搬送しながら、記録すべき画像に対応したプリントデータに基づいて前記プリントヘッドの記録素子を駆動して前記被記録材に前記画像を記録する記録装置において、
前記記録すべき画像の端部が、前記重なり部に含まれるか否かを判定する第１の判定手段と、
該第１の判定手段によって前記端部が前記重なり部に含まれるとの判定がなされた場合、前記重なり部で重なり合う前記チップのうちの一方のチップのみを前記画像の記録のために使用するように制御する第１の制御手段と
を備えたことを特徴とする記録装置。
【請求項２】
前記第１の制御手段は、前記一方のチップ内の、前記重なり部に含まれる第１の記録素子、および当該第１の記録素子に連続して配列された、前記重なり部に含まれない第２の記録素子を使用するように制御する
ことを特徴とする請求項１に記載の記録装置。
【請求項３】
前記記録すべき画像の端部が、前記重なり部から予め定められた量以下のはみ出し量ではみ出すか否かを判定する第２の判定手段と、
該第２の判定手段によって前記画像の端部が前記重なり部から前記予め定められた量以下のはみ出し量ではみ出すとの判定がなされた場合、前記画像の端部が前記重なり部に含まれるように前記プリントデータを補正し、前記重なり部で重なり合う前記チップのうちの一方のチップのみを前記画像の記録のために使用するように制御する第２の制御手段と
をさらに備えたことを特徴とする請求項１又は２に記載の記録装置。
【請求項４】
前記予め定められた量は、前記プリントデータによって規定される前記画像の周辺の余白の幅に対応した前記記録素子の数
であることを特徴とする請求項３に記載の記録装置。
【請求項５】
前記記録素子はインクを吐出するためのノズルであり、該ノズルを前記プリントデータに基づいて駆動して前記インクを吐出し、前記被記録材に前記画像を記録することを特徴とする請求項１乃至４のいずれかに記載の記録装置。
【請求項６】
画像記録を行う記録素子を第１の方向に複数配列したチップを前記第１の方向に複数配列してなるプリントヘッドであって、隣り合う前記チップ同士が予め定められた数の記録素子分だけ重なり合う重なり部を有するように配列されたプリントヘッドを用い、
被記録材を前記第１の方向と交差する第２の方向に搬送しながら、記録すべき画像に対応したプリントデータに基づいて前記プリントヘッドの記録素子を駆動して前記被記録材に前記画像を記録する記録方法において、
前記記録すべき画像の端部が、前記重なり部に含まれるか否かを判定する第１の判定ステップと、
該第１の判定ステップにおいて前記端部が前記重なり部に含まれるとの判定がなされた場合、該重なり部で重なり合う前記チップのうちの一方のチップのみを前記画像の記録のために使用するように制御する第１の制御ステップと
を備えたことを特徴とする記録方法。
【請求項７】
画像記録を行う記録素子を第１の方向に複数配列したチップを前記第１の方向に複数配列してなるプリントヘッドであって、隣り合う前記チップ同士が予め定められた数の記録素子分だけ重なり合う重なり部を有するように配列されたプリントヘッドを用い、
被記録材を前記第１の方向と交差する第２の方向に搬送しながら、記録すべき画像に対応したプリントデータに基づいて前記プリントヘッドの記録素子を駆動して前記被記録材に前記画像を記録する記録方法を実現するためのプログラムであって、
前記記録すべき画像の端部が、前記重なり部に含まれるか否かを判定する第１の判定ステップと、
該第１の判定ステップにおいて前記端部が前記重なり部に含まれるとの判定がなされた場合、該重なり部で重なり合う前記チップのうちの一方のチップのみを前記画像の記録のために使用するように制御する第１の制御ステップと、
をコンピュータに実行させることを特徴とするプログラム。
【手続補正２】
【補正対象書類名】明細書
【補正対象項目名】００２１
【補正方法】変更
【補正の内容】
【００２１】
このような目的を達成するために、本発明の記録装置は、画像記録を行う記録素子を第１の方向に複数配列したチップを前記第１の方向に複数配列してなるプリントヘッド（つなぎヘッド）であって、隣り合う前記チップ同士が予め定められた数の記録素子分だけ重なり合う重なり部（オーバーラップ部、つなぎ部分）を有するように配列されたプリントヘッドを有し、被記録材を前記第１の方向と交差する第２の方向に搬送しながら、記録すべき画像に対応したプリントデータに基づいて前記プリントヘッドの記録素子を駆動して前記被記録材に前記画像を記録する記録装置であって、前記記録すべき画像の端部が、前記重なり部に含まれるか否かを判定する第１の判定手段と、該第１の判定手段によって前記端部が前記重なり部に含まれるとの判定がなされた場合、該重なり部で重なり合う前記チップのうちの一方のチップのみを前記画像の記録のために使用するように制御する第１の制御手段とを備えたことを特徴とする。
【手続補正３】
【補正対象書類名】明細書
【補正対象項目名】００２８
【補正方法】変更
【補正の内容】
【００２８】
また上記目的を達成するために、本発明の記録方法は、画像記録を行う記録素子を第１の方向に複数配列したチップを前記第１の方向に複数配列してなるプリントヘッドであって、隣り合う前記チップ同士が予め定められた数の記録素子数分だけ重なり合う重なり部を有するように配列されたプリントヘッドを用い、被記録材を前記第１の方向と交差する第２の方向に搬送しながら、記録すべき画像に対応したプリントデータに基づいて前記プリントヘッドの記録素子を駆動して前記被記録材に前記画像を記録する記録方法であって、前記記録すべき画像の端部が、前記重なり部に含まれるか否かを判定する第１の判定ステップと、該第１の判定ステップにおいて前記端部が前記重なり部に含まれるとの判定がなされた場合、該重なり部で重なり合う前記チップのうちの一方のチップのみを前記画像の記録のために使用するように制御する第１の制御ステップとを備えたことを特徴とする。
【手続補正４】
【補正対象書類名】明細書
【補正対象項目名】００２９
【補正方法】変更
【補正の内容】
【００２９】
また上記目的を達成するために、本発明のプログラムは、画像記録を行う記録素子を第１の方向に複数配列したチップを前記第１の方向に複数配列してなるプリントヘッドであって、隣り合う前記チップ同士が予め定められた数の記録素子分だけ重なり合う重なり部を有するように配列されたプリントヘッドを用い、被記録材を前記第１の方向と交差する第２の方向に搬送しながら、記録すべき画像に対応したプリントデータに基づいて前記プリントヘッドの記録素子を駆動して前記被記録材に前記画像を記録する記録方法を実現するためのプログラムであって、前記記録すべき画像の端部が、前記重なり部に含まれるか否かを判定する第１の判定ステップと、該第１の判定ステップにおいて前記端部が前記重なり部に含まれるとの判定がなされた場合、該重なり部で重なり合う前記チップのうちの一方のチップのみを前記画像の記録のために使用するように制御する第１の制御ステップと、をコンピュータに実行させることを特徴とする。